(57)【要約】  セキュリティロックは、その側面に沿ってそれと一体のボルトセクションを備えたスライドと、ボルトセクションを受け入れて保持するための開放側面を備えたチャネルを有するケーシングとを備える。ボルトセクションおよびチャネルは、実質的に同じ断面を有し、チャネル内のボルトセクションの保持位置へのスライド係合を可能にする。ボルトセクションには、その表面に少なくとも１つの画定された軸方向境界がある凹部があり、ボルトが保持位置にあるとき、チャネルの壁の開口部と位置合わせされる。カムおよびフォロワ機構はロックに取り付けられており、カムは、ボルトセクションがボルトセクションのチャネルに沿った移動を制限するための保持位置にあるとき、フォロワが開口部および凹部内に延びる少なくとも１つの保持方向に、ケーシング内で回転可能である。キーデバイスは、カムを少なくとも１つの保持方向と、フォロワがチャネル内のボルトセクションを凹部から引き抜いて解放することができる少なくとも１つの他の解放方向との間で回転させることができる。
2021530638.tif 000002
【特許請求の範囲】
【請求項１】
ボルトセクションがその側面に沿ってそれと一体のスライドと、前記ボルトセクションを受け入れて保持するための開放側面を備えたチャネルを有するケーシングとであって、前記ボルトセクションおよびチャネルは実質的に同じ断面を有し、前記チャネル内の前記ボルトセクションの保持位置へのスライド係合を可能にし、ここで、前記ボルトセクションには、その表面上に少なくとも１つの軸方向境界がある凹部があり、前記凹部は、前記保持位置にあるとき、前記チャネルの壁の開口部と位置合わせされる、スライドおよびケーシングと、
カムおよびフォロワ機構であって、前記カムは、前記ボルトセクションが前記ボルトセクションの前記チャネルに沿った移動を制限するための前記保持位置にあるとき、前記フォロワが前記開口部および前記凹部内に延びる少なくとも１つの保持方向に、前記ケーシング内で回転可能である、カムおよびフォロワ機構と、
前記カムを前記少なくとも１つの保持方向と、前記フォロワが前記チャネル内の前記ボルトセクションを前記凹部から引き抜いて解放することができる少なくとも１つの他の解放方向との間で回転させるための手段と、
を備える、ロック。
【請求項２】
前記ボルト断面表面の前記凹部は、前記ボルト断面軸に垂直に延びるスロットの形をしている、
請求項１に記載のロック。
【請求項３】
前記凹部は部分的に球形の断面を有する、
請求項１または請求項２に記載のロック。
【請求項４】
前記ボルトセクションの前記断面は円形である、
請求項１〜３のいずれか一項に記載のロック。
【請求項５】
前記ボルトセクションの前記断面は多角形である、
請求項１〜３のいずれか一項に記載のロック。
【請求項６】
前記チャネルは、前記ボルトセクションを受け入れるための近位の開放端と、遠位の閉鎖端とを有する、
請求項１〜５のいずれか一項に記載のロック。
【請求項７】
前記ボルトセクションは、前記ボルトセクションが前記保持位置にあるときに前記チャネルの前記近位端を閉じるフランジを有する、
請求項６に記載のロック。
【請求項８】
前記ボルトセクションおよびチャネルは、前記ボルトセクションが前記チャネルに受け入れられたときに互いにかみ合う複数のスプラインを備えて形成される、
請求項１〜７のいずれか一項に記載のロック。
【請求項９】
前記スプラインは前記ボルトセクションおよびチャネルの長さを実質的に延ばす、
請求項８に記載のロック。
【請求項１０】
前記ボルトセクションの前記遠位端および前記チャネルの前記閉鎖端は、前記ボルトが前記保持位置に到達したときに互いにかみ合う一致するキャスタレーションを有する、
請求項６または請求項７に記載のロック。
【請求項１１】
前記チャネルの前記近位端の前記面はキャスタレーションを備えて形成され、
前記ボルトセクションの前記端の前記フランジは、ボルトセクションが前記保持位置にあるときに前記チャネル面のキャスタレーションと互いにかみ合う一致するキャスタレーション特徴部を備えて形成される、
請求項７または添付される場合請求項１０に記載のロック。
【請求項１２】
前記チャネルは、前記ボルトセクションと前記スライド本体との間の一致する拡大された接合部を受け入れるためのジョーを形成する横方向の延長部を有する、請求項１から１１のいずれか一項に記載のロック。
【請求項１３】
前記接合部および前記横方向の延長部の前記断面は、それぞれ前記ボルトセクションおよびチャネルの断面よりも大きい、
請求項１２に記載のロック。
【請求項１４】
前記横方向の延長部は、前記チャネルに平行に延びる一対のジョーを含む、
請求項１２または請求項１３に記載のロック。
【請求項１５】
前記横方向の延長部は、前記チャネルに平行な前記延長部の前記長さに沿って間隔をおいて配置された複数の対のジョーを含む、
請求項１２または請求項１３に記載のロック。
【請求項１６】
前記チャネルおよび前記ボルトセクションの前記軸は真っ直ぐであり、前記カムの前記回転軸は前記チャネルの回転軸に平行である、
請求項１〜１５のいずれか一項に記載のロック。
【請求項１７】
前記カムの前記回転軸は前記チャネルの回転軸に対して角度をもっている、
請求項１〜１５のいずれか一項に記載のロック。
【請求項１８】
前記角度は直角である、
請求項１７に記載のロック。
【請求項１９】
前記少なくとも１つの解放方向にあるときに前記フォロワを受け入れるための少なくとも１つのくぼみを備えた前記カムが形成される、
請求項１〜１８のいずれか一項に記載のロック。
【請求項２０】
前記少なくとも１つの凹部のばねは、前記フォロワを前記くぼみから押し出す、請求項１９に記載のロック。
【請求項２１】
前記くぼみの少なくとも１つの周方向の縁部はステップを形成する、
請求項１９または請求項２０に記載のロック。
【請求項２２】
前記くぼみの少なくとも１つの周方向の縁部は面取りまたは湾曲している、
請求項１９または請求項２０に記載のロック。
【請求項２３】
前記カムは、前記ボルトセクションが前記保持位置にあるときに前記フォロワを前記凹部に押し込むための少なくとも１つの突起を備えて形成される、
請求項１〜１８のいずれか一項に記載のロック。
【請求項２４】
前記ボルトセクションの前記端部は面取りされて、前記チャネル内の前記保持位置への通過を容易にする、
請求項１〜２３のいずれか一項に記載のロック。
【請求項２５】
前記カムを回転させるための前記手段はキーおよびタンブラー機構を含む、
請求項１〜２４のいずれか一項に記載のロック。
【請求項２６】
請求項１〜２５のいずれか一項に記載のロックの前記ケーシングおよびスライドが両端に取り付けられている可撓性の細長い要素を備える、セキュリティデバイス。
【発明の詳細な説明】
【技術分野】
【０００１】
本発明は、ロック機構に関し、ストラップまたはチェーンなどの細長い要素の両端を一緒に保持しなければならないセキュリティデバイスに特定の用途を有する。
【背景技術】
【０００２】
このようなデバイスは、その開示が参照により本明細書に組み込まれる、国際明細書番号ＷＯ２０１０／１０３３２７およびＷＯ２０１５／０８７０６７および米国特許第５，７０６，６７９号および第６，５１０，７１７号を含むさまざまな特許公開に記載されている方法で、手荷物および軽自動車を固定するために使用することができる。
【発明の概要】
【発明が解決しようとする課題】
【０００３】
本発明の目的は、財産の盗難、特に自転車、オートバイ、および一時的に駐車されているその他の車両の盗難において、セキュリティデバイスを破壊するために使用される種類のロック破壊ツールに対してより大きな耐性を提供するロック機構を提供することである。
【課題を解決するための手段】
【０００４】
本発明によれば、ロックは、その側面に沿ってそれと一体のボルトセクションを備えたスライドと、ボルトセクションを受け入れて保持するための開放側面を備えたチャネルを有するケーシングとを備える。ボルトセクションおよびチャネルは、実質的に同じ断面を有し、チャネル内のボルトセクションの保持位置へのスライド係合を可能にする。ボルトセクションには、その表面に少なくとも１つの画定された軸方向境界がある凹部があり、ボルトが保持位置にあるとき、チャネルの壁の開口部と位置合わせされる。カムおよびフォロワ機構はロックに取り付けられており、カムは、ボルトセクションがボルトセクションのチャネルに沿った移動を制限するための保持位置にあるとき、フォロワが開口部および凹部内に延びる少なくとも１つの保持方向に、ケーシング内で回転可能である。キーデバイスなどの手段は、カムを少なくとも１つの保持方向と、フォロワがチャネル内のボルトセクションを凹部から引き抜いて解放することができる少なくとも１つの他の解放方向との間で回転させるために提供される。ただし、カムの回転は、従来のキーロックやタンブラーロックなどのさまざまなデバイスで実行できる。
【０００５】
本発明によるロックのスライドおよびケーシングは、チェーンまたはストラップなどの細長い要素の両端に容易かつ確実に結合して、自転車を例えば固定アセンブリに取り付ける、または、要素を互いにロックして移動を防止するために使用できるセキュリティデバイスを作製することができる。本発明のロックの構成要素をそのようなストラップに取り付ける好ましい方法は、２０１９年６月２７日出願の係属中の国際特許出願第ＰＣＴ／ＧＢ２０１９／０５１８２９号に記載されており、その開示全体は参照により本明細書に組み込まれる。ただし、溶接や圧着などの他の手法を使用することもできる。一部の用途では、接着剤を使用することができる。
【０００６】
ボルト断面表面の凹部は、通常、ボルト断面軸に垂直に延びるスロットの形をしている。それは通常、ボールベアリングの形でカムフォロワに一致するのに適した部分球形の断面を有するが、特により深い深さが必要な場合は他の断面を使用することができる。どの形状を選択する場合でも、カムフォロワはそれに合わせた形状にする必要がある。フォロワの動きは、通常、ケーシングの開口部内で、典型的には開口部およびフォロワの形状によって制限される。一例では、開口部は、フォロワが脱するのを防ぐフランジを備えて形成することができる。別の例では、フォロワは、ケーシング開口部のスロット内を移動できる横方向のテールを備えて形成することができ、これにより、フォロワは開口部内を移動できるが、離れることはできない。
【０００７】
ボルトセクションは、典型的には円形または部分円形の断面を有するが、通常は滑らかな連続境界を有する他の断面を採用することもできる。ただし、多角形にすることもでき、長方形または三角形の多角形の断面が好ましい。ボルトセクションを保持するために、チャネルの一致する断面のジョー(jaws)は、もちろんボルトセクションを囲んで横方向の引き抜きを防ぐ必要があり、断面が円形の場合、チャネル壁は、ボルトセクションを所定の位置に保持するためにボルトセクションの直径を超えて延びる。典型的には、チャネルの断面は、少なくとも約２５０°、好ましくは少なくとも２７０°延びる。ボルトセクションから離れたスライド本体の厚さは、通常、ボルトセクションの平行寸法よりも薄く、通常、平行な側面を有する。
【０００８】
ロックの安全性をさらに高めるために、ケーシング内のチャネルは、ボルトセクションとスライド本体との間の一致する拡大セクションまたは接合部を受け入れるためのジョーを形成する横方向の延長部を有し得る。複数の対のジョーがチャネルの長さに沿って形成される場合があるが、通常、単一の対がチャネルの全長を延ばす。接合部および横方向の延長部またはジョーの断面は、それぞれボルトセクションおよびチャネルの断面と同じまたはより小さくすることができるが、好ましくはより大きく、典型的には部分的に円形、多角形またはスプライン状である。チャネルの横方向の延長部は、チャネルの開放側面へのアクセスをより困難にし、特にその断面がチャネルの断面よりも大きい場合、チャネルのジョーでより多くの材料を使用することを容易にし、開放されることに追加の抵抗を与える。
【０００９】
本発明の好ましい実施形態では、チャネルおよびボルトセクションの軸は真っ直ぐであり、カムの回転軸はチャネルの回転軸に平行である。ただし、これは必須ではなく、カムの回転軸はチャネルの回転軸に対してある角度、典型的には直角である可能性がある。
【００１０】
カムおよびフォロワ機構のカムの断面は、通常、主に円形であり、ボルトセクションが保持位置にあるときに凹部と位置合わせされると、フォロワを受け入れ、ボルトセクションを引き抜くことができる少なくとも１つのくぼみがある。ばねまたは他の弾性要素を凹部に収容して、フォロワを凹部から押し出して、ボルトセクションが保持位置に到達するとすぐにボルトセクションの凹部に入るようにフォロワをボルトと係合させることができる。これにより、カムフォロワがカムの回転によって凹部にロックされる前に、ボルトセクションを保持位置に緩く保持することができる。くぼみの一方または両方の周方向縁部は、カムがホールド方向に到達したときにフォロワの突然の動きを作り出すステップを形成する場合があるが、一方または両方の縁部を面取りまたは湾曲させて、よりスムーズな移行を作ることができる。別の構成では、カムは、ボルトセクションが前記保持位置にあるときにフォロワを凹部に押し込むための少なくとも１つの突起を備えて形成される。ボルトセクションの凹部の軸方向の縁部は、通常、チャネル内のボルトセクションの保持位置からの動きの制限を確保するためのステップとして形成される。
【００１１】
チャネルへのボルトセクションの導入を容易にするために、ボルトセクションの端を面取りすることができる。これは、カムフォロワがチャネルに弾力的に押し込まれている場合に特に価値があるが、それは、これにより、ボルトセクションがフォロワを通過して保持位置に強制的に移動し、その位置で、カムにボルトセクションを保持位置にロックさせるキーまたはその他の手段がアクティブになるまでボルトセクションが保持されるからである。
【００１２】
本発明によるロックでは、チャネルは通常、ボルトセクションを受け入れるための近位の開放端と、遠位の閉鎖端とを有する。これにより、ボルトセクションが保持位置にあるときにチャネルの遠位端へのアクセスがブロックされる。近位端へのアクセスをブロックするために、ボルトセクションの対応する端は、端の周りに延びるフランジを備えて形成され得る。ボルトセクションが上記のようにブロックの側面を形成すると、チャネルへのアクセスがすべての側面からブロックされる。
【００１３】
本発明によるロックの要素は、通常、金属、典型的には鋼である。チャネルに沿ったボルトセクションの引き抜きを防止するロック要素はケーシング内にあり、ボルトセクションを引き抜こうとするとせん断力が加えられるため、これらはプラスチック材料などの他の材料で作製される可能性がある。
【００１４】
本発明によるロック内のチャネル内のボルトセクションをさらに固定するために、ボルトセクションおよびチャネルは両方とも、ボルトセクションがチャネルに受け入れられたときに互いにかみ合う複数のスプラインを備えて形成され得る。そのようなスプラインは、ボルトセクションおよびチャネルの長さを実質的に延ばすことができる。もちろん、これはチャネル内のボルトセクションの回転を防止または少なくとも制限する。同様の効果を有する１つの代替の配置では、ボルトセクションの遠位端およびチャネルの閉鎖端は、ボルトが保持位置に到達したときに互いにかみ合う一致するキャスタレーションを有することができる。さらに別の代替案では、チャネルの近位端の面はキャスタレーションを備えて形成され、ボルトセクションの端のフランジは、ボルトセクションが保持位置にあるときにチャネル面のキャスタレーションと互いにかみ合う一致するキャスタレーション特徴部を備えて形成される。これらの配置は、独立してまたは組み合わせて使用できることが理解されよう。
【図面の簡単な説明】
【００１５】
【図１】本発明によるロックの分解斜視図である。
【図２】ストラップの両端を保持してセキュリティデバイスを形成する図１のロックを示す。
【図３】図１と同様のロックの断面図であり、カムフォロワが保持位置にあるスライドのボルトセクションとどのように係合するかを示している。
【図４】図３と同様の図であるが、カムおよびフォロワの配置が異なる。
【図５】本発明のロック内のスライドおよびケーシングの１つの代替形態を示している。
【図６】代替のカムおよびフォロワ機構を説明するために、図５の線Ｘ−Ｘで取られた断面図である。
【図７】図５のケーシング内の開口部の配置を示す。
【図８】図５のスライドの矢印Ｙの端面図である。
【図９】本発明による別のロック内のケーシングの一部の上端の斜視図である。
【図１０】図９に示される種類のロック内のスライドをケーシングから引き抜こうとするときに発生する力を示す。
【図１１】図１に示したものと同様のロックケーシングおよびスライドの分解斜視図であるが、セキュリティを強化するために変更されている。
【発明を実施するための形態】
【００１６】
ここで、本発明は、例として、添付の概略図を参照して説明される。
図１および図２に示すロックの基本構成要素はケーシング２である。見られるように、右側は、ストラップ４の一端でケーブルを受け入れるように適合されており、ストラップ４は、ピン５を使用して上記の同時係属中の国際特許出願第ＰＣＴ／ＧＢ２０１９／０５１８２９号に記載されている種類のアタッチメントによってその中に保持され得る。ストラップ４の他端のケーブルは、同様に、本発明のロックのスライド６に保持されている。ストラップ４の一端のケーシング２、および他端のスライド６内のケーブルの係合は、スリーブ７によって覆われている。
【００１７】
見られるように、ケーシング２の左側は、その下部遠位端で閉じられ、かつその上部近位端で開いている、側面が開いたチャネル８を形成する。チャネル８の断面は円形である。スライド６は、その片側に沿ってボルトセクション１２が延びるブロック１０の形態である。ブロック１０とボルトセクション１２との間の接合部は、ケーブルの端部をブロック内に保持するピン５を収容するために拡大されている。ボルトセクション１２の断面は、チャネル８の断面と一致して、チャネル内へおよびチャネル内でスライドすることを可能にし、その長さも、チャネル内で完全に係合したときに、チャネルへのアクセスを防ぐためにチャネルの近位端がフランジ１４によって閉じられるように、チャネルの長さと一致する。チャネル８の断面は部分的に円形であり、そのジョーはその開放側面に約２７０°延びており、半径は約１１ｍｍである。ボルトセクション１２の断面の範囲および半径はわずかに小さく、ボルトセクション１２は横方向の動きを最小限に抑えるか、または全く動かずにチャネル内をスライドすることができる。スライドブロック１０自体の厚さは約８ｍｍである。
【００１８】
円筒形チャンバ３６は、カム（１８）、フォロワ（２０）機構、機構を操作するためのデバイス２２を収容するケーシングの中央セクション１６に形成される。デバイス２２は、例えば、従来のタンブラー錠であってもよく、詳細には説明しないが、デバイス２２を操作するためのキー２４が示されている。カム、フォロワ機構およびデバイス２２は、クロージャ２６によって中央セクション１６に保持されている。開口部２８は、キー２４にデバイス２２へのアクセスを提供する。
【００１９】
見られるように、カム１８の全体の断面は円形であり、カム１８が円筒形チャンバ内で回転することを可能にし、カム１８は、キー２４の端部を受け入れて回転させるためのスロット３０を備えて形成される。カムは、ボールの形のフォロワ２０を捕捉するためのくぼみ３２を有するが、カム１８の回転がフォロワ２０をくぼみ３２から押し出すことができる限り、フォロワの正確な形状は重要ではない。図３は、これを実現する方法を示している
【００２０】
図３の断面図では、スライド本体ブロック１０とボルトセクション１２との間の拡大された接合部が省略されている。スライド本体６は、ボルトセクション１２と直接組み合わされる。見られるように、ボルトセクション１２は、ケーシング２のチャネル８にぴったりとはまる。示されている保持位置にボルトセクション１２がある状態で、カムフォロワ２０は、ケーシングの中央セクション１６の円筒形チャンバ３６からチャネル８まで延びる開口部３４内のカム１８によって保持され、ボルトセクション１２の表面に形成された凹部３８に突出する。カム１８は、図のように時計回りに９０°回転したときにカムフォロワ２０を受け入れるためのくぼみ３２を有する。そのように受け入れられると、ボルトセクション１２は、チャネル８から引き抜くことができる。また、図３には、くぼみ３２内の板ばね４０が示され、これは、カムフォロワ２０をくぼみ内に収容しながらチャネル８内に押し込む。フォロワ２０は、フランジ４２によって開口部３４から完全に出ることが防止されているので、ボルトセクションが引き抜かれるとき、フォロワ２０は開口部３４から突出したままである。ボルトセクションは、再びチャネル８に取り付けられるとフォロワと係合し、凹部３８と位置合わせされるまで、フォロワを開口部３４に押し戻す。ボルトセクションの遠位端は、これを容易にするために面取りされた縁部４４（図１を参照）を備えて形成され得る。
【００２１】
図４は、図３と同様の見方での代替カムプロファイルを示している。見られるように、カム４６は、開口部３４を通してフォロワ２０を駆動するための延長部４８を有する。カム４６は、フォロワ２０を図３のカム１８よりもさらに凹部３８内に駆動し、タイまたは他の拘束具（図示せず）を使用して、フォロワが開口部３４から出るのを防ぐ。
【００２２】
図５から図８は、本発明が多角形のボルトセクションおよびチャネルでどのように具体化され得るかを示している。図５は、プレート５４によってその下端で閉じられた長方形断面の側面が開いたチャネル５２を備えたロックケーシング５０を示している。スライド５８のボルトセクション５６は、一致する断面を有し、スライドの本体自体は、ボルトセクション５６がチャネル５２に受け入れられることができるように、チャネル５２の開放側面と一致する。ボルトセクションとチャネルの長さも一致するため、取り付けた場合、ボルトセクションの上部に示されているフランジ６０は、プレート５４と組み合わされて、チャネル５２へのアクセスを妨げる。
【００２３】
図６の断面図は、ボルトセクションを保持位置に保持するためのカムおよびフォロワの配置を示している。カム６２は、円筒形チャンバ６４内で回転可能であり、カムフォロワ７２を運ぶガイド７０をばね６８が支持するボアまたはくぼみ６６を有する。示されている方向では、ばね６８は、フォロワ７２をケーシング５０の開口部７４を通してボルトセクション５６の凹部７６に押し込んだところである。凹部７６は、直角の開口部として見えるが、典型的には、図８に示すように、横方向のスロットの形をとる。カムの向きが図のようになっていると、ボルトセクションは保持位置にロックされない。凹部７６の下端が引き抜かれると、フォロワ７２は、ばね６８に逆らってボア６６に押し込まれる。フォロワは、開口部７４の縁によって開口部７４から出ることができない。ただし、カムが示されている方向から離れる方向に回転すると、カムの表面はフォロワを示されている位置にロックし、ボルトセクションのチャネルからの引き抜きを防ぐ。
【００２４】
図６のチャンバ６４は、図１のチャンバ３６がチャネル８の軸に対して平行であるように、チャネル５２の軸に対してほぼ平行に位置合わせされている。ただし、この調整は必須ではない。別の方法として、図５の点線の輪郭７８に示すように、チャンバはチャネルに対して垂直に延びることができる。
【００２５】
図９および１０は、図１に示されているものと同様のケーシング８２内の円形断面チャネル８０の近位端を示している。チャネルの端面は、縁８６内のキャスタレーション８４を備えて形成されている。ボルトセクション（図示せず）の近位端のフランジは、ボルトセクションがその保持位置に到達したときにキャスタレーション８４と互いにかみ合うまたはかみ合う補完的なキャスタレーション特徴部を備えて形成されている。したがって、スライドがチャネル内のボルトセクションに取り付けられている場合、係合したキャスタレーションは、２つの追加のセキュリティ特徴部を生成する。まず、Ａで示される領域にあり継ぎタイプの接合部が作製され、矢印Ｚで示されるように、チャネルからボルトセクションを引き抜くために加えられる力に応じて締まる。このような力は、スライドを引っ張ることによって、または、例えば、縁８６とボルトセクションのキャスタレーション特徴部との間を彫ることによって加えることができる。次に、ゾーンＢでは、ボルトセクションが矢印Ｚの方向に（何らかの方法で）押されたときにキャスタレーションの側面に加えられる圧力は、矢印Ｃで示されるようにチャネル壁を閉じようとし、それによりボルトセクションの周りのチャネルを締める。この効果を生み出すキャスタレーションの側面は、示されているように、チャネル８０の開放側面から離れるように向けることができる。キャスタレーションの反対の側面は、一般的に放射状である。これらの両方の特徴部により、チャネルおよびボルトセクションの材料にせん断力が生じる。
【００２６】
上記と同様の利点は、チャネルの閉鎖面８８上にキャスタレーションを形成し、ボルトセクションの端面上に相補的なキャスタレーション特徴部を形成することによって、チャネルの遠位端で達成することができる。その場合、チャネルの一方または両方の端でこのようにキャスタレーションを使用できることが理解されよう。同様の効果は、ボルトセクションの長さの一部またはすべてに沿ってスプラインを形成することによっても達成でき、スプラインは、内部チャネル壁上でスプラインの一致する配置と互いにかみ合う、またはかみ合う。これらの配置のそれぞれが、チャネル内のボルトセクションの回転をさらに防止または少なくとも制限し、それによってロックをさらに固定することも理解されよう。
【００２７】
図１１に示されるロックは、スライド９６のブロック９４の周りを閉じるジョー９２を形成する横方向に延長されたチャネルセクションを有するケーシング９０によって、図１から図４に示されるものとは異なる。ボルトセクション１００とブロック９４との間の接合部９８は、延長セクションの断面と一致する断面を備えて拡大され、したがって、ケーシング内のスライド全体のスライド係合を延長する。ジョー９２および接合部９８によって画定される延長セクションの断面は、ボルトセクション１００およびメインチャネル１０２の断面よりも大きく、部分的に円形、多角形、またはスプライン状とすることができる。たとえば、比率は２：１で、メインチャネルの直径は約６ｍｍ、拡張チャネルの直径は約１１ｍｍであってもよい。これにより、ジョー９２からケーシングの中央セクション１０４へのスムーズな移行の形成において、ケーシング本体に追加の材料を含めることが容易になる。接合部９８は、例えば、上記の出願番号第ＰＣＴ／ＧＢ２０１９／０５１８２９号に記載されている方法で、ブロック９４内の開口部１０８に延びるケーブル端をロックするためのピン（図示せず）用の通路１０６を含み得る。メインチャネル１０２および延長チャネルセクション９２の両方は、それらの遠位端で閉じられている。ボルトセクション９８および接合部９８が取り付けられると、延長されたチャネルセクションは、ロック破壊ツールによるメインチャネル１０２へのアクセスを制限することによって追加のセキュリティを提供する。ジョーの基部にある追加の材料も、ジョーの強制的な分離に対する補強を提供する。
【００２８】
ジョー９２は、メインチャネル１０２に平行に延び、そしてその全長を延ばす単一の対として示されている。しかしながら、同様の利益は、メインチャネルの平行な長さに沿って間隔をおいて配置された複数の対によって得られ得ることが理解されよう。この変形は、延長チャネルセクションにアクセスしてロックを破壊する試みを複雑なものにするという潜在的な追加の利点を提供する。
【図１】
2021530638.tif 000003
【図２】
2021530638.tif 000004
【図３】
2021530638.tif 000005
【図４】
2021530638.tif 000006
【図５】
2021530638.tif 000007
【図６】
2021530638.tif 000008
【図７】
2021530638.tif 000009
【図８】
2021530638.tif 000010
【図９】
2021530638.tif 000011
【図１０】
2021530638.tif 000012
【図１１】
2021530638.tif 000013
【国際調査報告】
2021530638.tif 000014
2021530638.tif 000015
2021530638.tif 000016